(57)【要約】 【課題】かしめ部を低くし且つ安定したかしめ固定力が得られるワッシャ部材を得る。【解決手段】被締結物１０、１２をリベット１で締結するのに使用されるワッシャ部材２０であって、リベット１が貫挿される遊挿穴２１を形成し、遊挿穴２１の周囲の座面２２を遊挿穴２１の中心側が外側より突出した突出部２２ａを有する段付き形状にし、一方、突出した遊挿穴側の座面２２とは反対面に所定厚さを有する収納部２３を形成し、収納部２３にかしめ部６が収容されるようにしたワッシャ部材２０であるので、被締結物内にワッシャ部材の一部が嵌り、リベットのかしめ部が被締結物内に位置するようになるから、その被締結物の面からのかしめ高さが極端に低くなり、かしめ部が鞄やバッグの使用時に邪魔になることがない。また、かしめ高さが低くなっても、かしめ固定強度は低下することがなく、そのかしめ寿命も長い。【選択図】図１
2006234154.tif 000002
【特許請求の範囲】
【請求項１】
互いの被締結物（１０）、（１２）をリベット（１）で締結するのに使用されるワッシャ部材（２０）であって、リベットが貫挿される遊挿穴（２１）を形成し、この遊挿穴の周囲の座面（２２）を遊挿穴の中心側が外側より突出した突出部（２２ａ）を有する段付き形状にし、一方、座面が突出した遊挿穴側の座面とは反対面に座面との間に所定厚さを有する収納部（２３）を形成し、前記リベットがかしめられた時に収納部にかしめ部（６）が収容されるようにしたことを特徴とするワッシャ部材。
【請求項２】
座面は遊挿穴の外側に被締結物に接するように平坦な形状の接触面（２２ｂ）が形成されているとともに、これの反対面はその断面において接触面の端から中心側にかけて厚みが増すように曲線で結ばれた形状となっていることを特徴とする請求項１記載のワッシャ部材。
【請求項３】
互いの被締結物（１０）、（１２）をリベット（１）でかしめる組み合わせにおいて、一方の被締結物（１０）にはリベットの脚部（２）が貫挿される貫通穴（１１）をあけ、他方の被締結物（１２）には前記貫通穴と同一中心線上にあって貫通穴より大径のガイド穴（１３）をあけ、このガイド穴に中心側が突出した突出部（２２ａ）が貫挿可能であって、中心より外側が被締結物に接する座面（２２）となった段付き形状に形成され且つこの突出部を有する座面の反対側には前記リベットがかしめられた時にリベットのかしめ部（６）を収容する収納部（２３）を有するワッシャ部材（２０）を位置させ、互いの被締結物をかしめた時にリベットのかしめ部の突出量が少なくなるようにしたことを特徴とするリベットのかしめ方法。
【請求項４】
座面は遊挿穴の外側に被締結物に接するように平坦な形状の接触面が形成されているとともに、これの反対面はその断面において接触面の端から中心側にかけて曲線で結ばれた形状となっているワッシャ部材を使用したことを特徴とする請求項３記載のリベットのかしめ方法。
【発明の詳細な説明】
【技術分野】
【０００１】
本発明は、被締結物をリベットで固定するものであって、特にリベットのかしめ部をできるだけ被締結物の面から突出しないようにするワッシャ部材及びこのワッシャ部材を使用するリベットかしめ方法に関する。
【背景技術】
【０００２】
鞄やバッグ等の皮革製品においては、これらの把手やショルダー帯あるいはランドセル等の蓋や把手を背板に固定するには金属製あるいは樹脂製のリベットが使用されている。そして、これら鞄、バッグ等の内側には布が縫いつけられたり柔らかい皮が張り付けられたりしてかしめヶ所が露出しないようになっている。このようなかしめヶ所の具体例としては、図６及び図７に示すようなかしめ固定が採用されている。図６は被締結物１１０、１１２を互いに合わせてその固定ヶ所にリベット１０１の脚部１０２が貫挿される貫通穴１１１をあけ、一方から脚部１０２を先にしてリベット１０１を挿入し、他方にこのリベット１０１のかしめ部１０６を支持するワッシャ部材１２０を嵌め合わせて固定するようにしたものである。この場合、ワッシャ部材とかしめ部を組み合わせた高さ（ｈ）が被締結物から突き出る形状となっている。また、図７はこの高さｈを少しでも低くするために前記ワッシャ部材１２０を使用せずにリベット１０１をかしめて被締結物１１０、１１２を固定するようにしたものである。
【０００３】
更に、図８は主としてランドセルに使用したものであり、例えば、特開平６−３２７５１２号公報に示すようなものがある。これは図８に示すように、背板を構成する基板１４０と表地１４１の間に、背板の上辺に沿う上辺近傍部位１４２と上部中央部位（図示せず）とを除いて、クッション材１４３を介装し、上記背板の外面で上辺近傍部位１４２には蓋１４４の基端部を縫着し、上記背板の上部中央部位には、上部に鳩目金具を装着した背負い帯と、両端に鳩目金具を装着した把手１４５とを、その端部を覆い生地１４６で覆って鳩目金具を挿通する鋲１４７によって鋲着するものである。
【特許文献１】特開平６−３２７５１２号公報
【発明の開示】
【発明が解決しようとする課題】
【０００４】
しかしながら、被締結物にリベットを貫挿させて反対側にあるワッシャ部材内でかしめる場合、その締結固定は強固になるが、かしめ部の高さは高くなり、これが邪魔になっている。また、このワッシャ部材を使用せずに被締結物にかしめ部が直接接触するようにかしめた場合には、前記高さに比べて僅かに低くなるが、その固定強度は低下し寿命が短くなっている。特に、この締結方法を鞄やバッグに使用すると、このかしめ部の高さが製品に影響し、鞄やバッグに貼り付けられている内張が使用中に擦れて破れやすい。しかも、小学生が使用するランドセルにおいては、これを背に背負うことになるからできるだけかしめ部が低いものが使用されているが、長年使用していると、これが背に当たり違和感を与えている。その上、これらに使用されているリベットはほとんどが金属製であることから、軽量化に支障が生じたり、廃棄においてリサイクルの問題から分別廃棄が必要であるが、その作業に手間がかかっている等の課題が生じている。
【０００５】
本発明の第１の目的は、このような課題を解消するとともにかしめ部をできるだけ低くし且つ安定したかしめ固定力が得られるようにしたワッシャ部材を得ることであり、本発明の第２の目的は、被締結物に対するかしめ固定における低いかしめ高さを可能にするリベットのかしめ方法を得ることである。
【課題を解決するための手段】
【０００６】
本発明の第１の目的は、互いの被締結物１０、１２をリベット１で締結するのに使用されるワッシャ部材２０であって、リベット１が貫挿される遊挿穴２１を形成し、この遊挿穴２１の周囲の座面２２を遊挿穴２１の中心側が外側より突出した突出部２２ａを有する段付き形状にし、一方、座面２２が突出した遊挿穴側の座面２２とは反対面に座面２２との間に所定厚さを有する収納部２３を形成し、前記リベット１がかしめられた時に収納部２３にかしめ部６が収容されるようにしたワッシャ部材２０を提供することで達成される。また、この構成に加えて、座面は遊挿穴２１の外側に被締結物１２に接するように平坦な形状の接触面２２ｂが形成されているとともに、これの反対面はその断面において接触面２２ｂの端から中心側にかけて厚みが増すように曲線で結ばれた形状となっているワッシャ部材であることで、内張の破損が減少する。
【０００７】
更に、本発明の第２の目的は、互いの被締結物１０、１２をリベット１でかしめる組み合わせにおいて、一方の被締結物１０にはリベット１の脚部２が貫挿される貫通穴１１をあけ、他方の被締結物１２には前記貫通穴１１と同一中心線上にあって貫通穴１１より大径のガイド穴１３をあけ、このガイド穴１３に中心側が突出した突出部２２ａが貫挿可能であって、中心より外側が被締結物１２に接する座面２２となった段付き形状に形成され且つこの突出部２２ａを有する座面２２の反対側には前記リベット１がかしめられた時にリベット１のかしめ部６を収容する収納部２３を有するワッシャ部材２０を位置させ、互いの被締結物１０、１２をかしめた時にリベット１のかしめ部６の突出量が少なくなるようにしたリベットのかしめ方法を提供することで達成される。また、この構成に加えて、座面は遊挿穴２１の外側に被締結物１２に接するように平坦な形状の接触面２２ｂが形成されているとともに、これの反対面はその断面において接触面２２ｂの端から中心側にかけて曲線で結ばれた形状となっているワッシャ部材２０を使用したリベットのかしめ方法とすることで、リベットのかしめ部が被締結物の面から高くならない。
【発明の効果】
【０００８】
本発明によれば、被締結物にリベットを貫挿させて反対側にあるワッシャ部材内でかしめる場合やこのワッシャ部材を使用せずに被締結物にかしめ部が直接接触するようにかしめた場合に比べて、被締結物内にワッシャ部材の一部が嵌り、即ち、リベットのかしめ部が被締結物内に位置するようになることから、その被締結物の面からのかしめ高さが極端に低くなり、かしめ部が鞄やバッグの使用時に邪魔になることがない。また、このようにかしめ高さが低くなっても、かしめ固定強度は低下することがなく、そのかしめ寿命も長い。更に、このワッシャ部材を使用して本発明のかしめ方法で鞄やバッグを製造した場合、これらに張られている内張が使用中にかしめ部に擦れて破れといったことが減少する。特に、小学生が使用するランドセルにおいては、かしめ部が低いので、これを使用したランドセルを背負っても、背にものが当たるといった違和感もなく、長年使用することでランドセルがよく馴染むことになる。その上、これらリベット及びワッシャ部材は樹脂製であることから製品の軽量化が促進でき、廃棄する場合でも、分別廃棄が容易になり、その作業における手間が解消される等の特有の効果がある。
【発明を実施するための最良の形態】
【０００９】
以下、本発明の実施の形態を図１乃至図５に基づき説明する。図１及び図２において、１は脚部２に有底孔３を有し、一端に脚部２と一体でこれより大径の頭部４を有するリベットであり、このリベット１は被締結物１０にあけられている貫通穴１１に貫挿されるようになっている。このリベット１は金属製であったり、樹脂製であったり被締結物１０、１２によってその材質が異なっており、本発明では、その具体例を樹脂製のリベット１により説明する。この被締結部材１０のリベット１の頭部座面に樹脂製の座金５を介して接する側には前記貫通穴１１があけられており、もう一方の被締結部材１２には前記貫通穴１１より大径の、即ち、貫通穴径のほぼ２倍の穴径となったガイド穴１３があけられている。このガイド穴１３には被締結部材１２に接するワッシャ部材２０の突出部２２ａが嵌っており、このワッシャ部材２０はその一例として円板形状となっている。尚、前記ガイド穴１３の穴径は使用されるワッシャ部材２０の大きさにより任意に設定されるものである。
【００１０】
このワッシャ部材２０は図４に示すように、中心部に前記リベット１の脚部２が遊挿可能な遊挿穴２１を有しており、この遊挿穴２１を中心とするヶ所はその座面２２が円錐台形状に突出して前記突出部２２ａが形成されている。この突出高さは最大で被締結物１２の厚さであり、その突出高さの範囲は最小でその半分程度となっており、通常は被締結物１２の厚さの２／３程度となっている。このワッシャ部材２０の円錐台形状の突出部２２ａの周囲はワッシャ部材２０の外周にかけて平坦になっており、この平坦な座面２２が前記被締結物１２の面に接する接触面２２ｂとなっている。
【００１１】
一方、前記突出部２２ａにおいて座面２２と反対側にはこの座面２２との間にかしめ作用により破壊されない程度の強度を生じるのに十分な所定の厚み（ｔ）を有して前記突出部２２ａと相似形の有底円錐穴形状の収納部２３が形成してあり、この収納部２３の深さは前記リベット１がかしめられた時のかしめ部６の高さと同等かそれより僅か深くなっている。この深さを有することで、かしめ部６はワッシャ部材２０から突出することがない。このワッシャ部材２０の座面２２とは反対側の面は外周側、即ち、座面２２の端が比較的薄く中心側が比較的厚い厚みとなるようにその断面において、端から中心側にかけて厚みが増すように曲線で結ばれた曲線形状となっており、このワッシャ部材２０の外周は被締結物１２に十分に座面２２の接触面２２ｂが接するように比較的大きく形成されている。これらワッシャ部材２０は樹脂製であり、かしめ強度によってその材質はポリブチレンテレフタレート、ポリプロピレン、ナイロン、ポリアセタール、ポリカーボネート等が使用される。この樹脂製のワッシャ部材２０に代え、ワッシャ部材２０は金属製であってもその用途によっては特に影響を与えるものではない。
【００１２】
このような構成のワッシャ部材２０を使用して互いの被締結物１０、１２をリベット１でかしめる組み合わせ作業は図３に示すように、あらかじめ一方の被締結部材１０には前記リベット１が貫挿される貫通穴１１をあけ、他方の被締結物１２には前記貫通穴１１と同一中心線上にあって貫通穴１１より大径のガイド穴１３をあける。そして、このガイド穴１３に対してワッシャ部材２０の中心側が突出した突出部２２ａを、貫通穴１１にはリベット１の脚部２を夫々挿入し、かしめ機のアンビル３０でリベット１の脚部２を受けてこれに対向するステム３１で頭部４を加圧してかしめる。これにより有底孔３を有するリベット１の脚部２は図１に示すように、前記ワッシャ部材２０の収納部２３においてかしめられ、互いの被締結物１０、１２はリベット１の頭部４に接する座金５とワッシャ部材２０の座面２２との間に挟み固定される。これにより、かしめ部６はワッシャ部材２０の収納部２３に収容され、その高さはワッシャ部材２０の厚み（Ｈ）となる。これによりかしめ部６はワッシャ部材２０の表面からは突出していない状態になり、互いの被締結物１０、１２をかしめた時にリベット１のかしめ部６の被締結物１２からの突出量が少なくなる。
【００１３】
また、図５は本発明のもう一つの実施の形態であり、これはランドセル（図示せず）の背板（図示せず）を構成する基板（図示せず）に固定してこれの把手（図示せず）や背負い帯（図示せず）を固定する補強部材を兼ねたワッシャ部材２０であり、三ヶ所には夫々突出部２２ａが形成されている。これら突出部２２ａも前記と同様の断面形状となっており、これによりリベット１のかしめ部６がワッシャ部材２０から突出しないようになっている。尚、このワッシャ部材２０はこれらに示した形状以外であってもよく、リベット１のかしめ部６を収容する収納部２３を有する突出部２２ａの形状であれば、その形状はどのようなものであってもよい。
【図面の簡単な説明】
【００１４】
【図１】本発明による実施の形態を示す要部断面正面図である。
【図２】図１の底面図である。
【図３】本発明のかしめ開始状態を示す要部断面正面図である。
【図４】ワッシャ部材の一部断面正面図である。
【図５】本発明のもう一つのワッシャ部材を突出部側から見た平面図である。
【図６】従来例を示す要部断面正面図である。
【図７】他の従来例を示す要部断面正面図である。
【図８】もう一つの他の従来例を示す要部断面正面図である。
【符号の説明】
【００１５】
１    リベット
２    脚部
３    有底孔
４    頭部
５    座金
６    かしめ部
１０    被締結物
１１    貫通穴
１２    被締結物
１３    ガイド穴
２０    ワッシャ部材
２１    遊挿穴
２２    座面
２２ａ  突出部
２２ｂ  接触面
２３    収納部
３０    アンビル
３１    ステム
【図１】
2006234154.tif 000003
【図２】
2006234154.tif 000004
【図３】
2006234154.tif 000005
【図４】
2006234154.tif 000006
【図５】
2006234154.tif 000007
【図６】
2006234154.tif 000008
【図７】
2006234154.tif 000009
【図８】
2006234154.tif 000010